(57)【特許請求の範囲】
【請求項１】
繊維強化樹脂から成る脚部を有する釣糸ガイドを竿杆に取り付けて成る釣竿において、
前記釣糸ガイドの前記脚部の上面には、前記脚部を構成する繊維強化樹脂の強化繊維が露出しており、
前記釣糸ガイドは、その脚部を前記竿杆に載置した状態で、糸状体を前記脚部の前記上面を覆うように前記竿杆の周囲に巻回して接着剤を塗布することにより竿杆に取り付けられ、その状態で、前記釣糸ガイドの前記脚部の上面に露出した前記強化繊維が前記接着剤と接触していることを特徴とする釣竿。
【請求項２】
前記釣糸ガイドの前記脚部の上面に露出した強化繊維が前記糸状体と接触していることを特徴とする請求項１に記載の釣竿。
【請求項３】
前記釣糸ガイドの前記脚部の上面の先端部には、先端へ向かって下向きに傾斜する先端側傾斜面が設けられ、該先端側傾斜面で露出する強化繊維が複数の方向に向かって延びていることを特徴とする請求項１または請求項２に記載の釣竿。
【請求項４】
前記釣糸ガイドの前記脚部の上面は、その左右のそれぞれの側縁へ向かって下向きに傾斜する側方傾斜面を有し、該側方傾斜面で露出する強化繊維が複数の方向に向かって延びていることを特徴とする請求項１ないし請求項３のいずれか１項に記載の釣竿。
【請求項５】
前記釣糸ガイドの前記脚部の上面でその左右のそれぞれの側縁へ向かって下向きに傾斜する側方傾斜面と、前記上面の先端部で先端へ向かって下向きに傾斜する先端側傾斜面とが連続して形成されていることを特徴とする請求項１ないし請求項４のいずれか１項に記載の釣竿。
【発明の詳細な説明】
【技術分野】
【０００１】
本発明は、釣糸を案内する釣糸ガイドの固定構造に特徴を有する釣竿に関する。
【背景技術】
【０００２】
一般に、釣竿には釣糸を案内するための釣糸ガイドが取り付けられており、釣糸ガイドに挿通された釣糸を釣竿に絡ませることなくスムーズに放出・回収できるようになっている。
【０００３】
これらの釣糸ガイドは、金属や合成樹脂から成るフレームを有しており、そのフレームに設けられた脚部を釣竿に載置した状態でその周囲に糸状体を巻回してその巻回部に合成樹脂接着剤を塗布することにより釣竿に固定される。
【０００４】
しかしながら、このように糸状体と接着剤とによって釣糸ガイドを釣竿に固定した場合でも、釣糸ガイドに緩みが生じてその固定位置がずれてしまう等の不具合があった。そのため、特許文献１には、釣竿に取り付けた釣糸ガイドの脚部の緩みを防止するべく、脚部の上面に微細な凹凸形状を形成した釣糸ガイドが開示されている。
【先行技術文献】
【特許文献】
【０００５】
【特許文献１】特開２０００−１３９２８３号
【発明の概要】
【発明が解決しようとする課題】
【０００６】
しかしながら、特許文献１に開示される釣糸ガイドは、そのフレームが金属によって形成されているため、合成樹脂接着剤との適合性（馴染み具合）が十分でない。そのため、巻回した糸状体のズレを脚部上面の微細な凹凸によって防止できたとしても、合成樹脂接着剤による最終的な固定を強固に行なうことが難しい。
【０００７】
本発明は、上記した問題に着目してなされたものであり、釣糸ガイドの脚部が強固に取り付けられてなる釣竿を提供することを目的とする。
【課題を解決するための手段】
【０００８】
前記課題を解決するために、本発明は、繊維強化樹脂から成る脚部を有する釣糸ガイドを竿杆に取り付けて成る釣竿において、前記釣糸ガイドの前記脚部の上面には、前記脚部を構成する繊維強化樹脂の強化繊維が露出しており、前記釣糸ガイドは、その脚部を前記竿杆に載置した状態で、糸状体を前記脚部の前記上面を覆うように前記竿杆の周囲に巻回して接着剤を塗布することにより竿杆に取り付けられ、その状態で、前記釣糸ガイドの前記脚部の上面に露出した前記強化繊維が前記接着剤と接触していることを特徴とする。
【０００９】
上記構成の釣竿によれば、竿杆に取り付けられる釣糸ガイドの脚部の上面で露出する強化繊維が接着剤で覆われる（接着剤と接触する）ため、釣糸ガイドの脚部を構成する強化繊維の側面や切断された繊維突出端等が接着剤と構造的に強固に結合される。したがって、釣糸ガイドの脚部を竿杆に強固に取り付け固定することができ、脚部の緩みを効果的に防止できる。また、釣糸ガイドの脚部の上面で露出する強化繊維が脚部上面を覆って巻回される糸状体と接触した状態では、露出する繊維突出端が糸状体に当接係合した状態で接着されるため、糸状体による保持作用により、竿杆に対する釣糸ガイド脚部の取り付け固定が更に強固となる。
【００１０】
また、上記構成では、釣糸ガイドの脚部の上面の先端部に、先端へ向かって下向きに傾斜する先端側傾斜面が設けられ、該先端側傾斜面で露出する強化繊維が複数の方向に向かって延びていることが好ましい。また、釣糸ガイドの脚部の上面が、その左右のそれぞれの側縁へ向かって下向きに傾斜する側方傾斜面を有し、該側方傾斜面で露出する強化繊維が複数の方向に向かって延びていることが好ましい。このように、釣糸ガイドの脚部の上面に傾斜面を設けると、脚部を構成する繊維強化樹脂層の各層の全てを表面（上面）に露出させることができるため、各層の強化繊維の方向を異ならせる（例えば、釣竿の長軸方向、釣竿の長軸方向に対して所定の角度を成す斜向方向など）ことにより、傾斜面で露出する強化繊維を複数の方向に延在させて様々な方向から接着剤や糸状体を強化繊維と係合させることができ、接着剤の剥離や糸状体の緩みを効果的に防止できる。また、そのような傾斜面を脚部の上面の左右に設ければ、必然的に、傾斜面で露出する強化繊維の露出方向（外側突出方向）が左右で互いに逆向きになり、したがって、例えば脚部の前後の動きを繊維によって両側から支持できるようになる。そのため、脚部の前後の移動を確実に阻止することが可能になる。
【発明の効果】
【００１１】
本発明によれば、釣糸ガイドの脚部が強固に取り付けられてなる釣竿を提供できる。
【図面の簡単な説明】
【００１２】
【図１】釣糸ガイドを竿杆に取り付けて成る本発明の一実施形態に係る釣竿の一部拡大図を伴う要部横断面図である。
【図２】図１の釣竿の一部拡大図を伴う要部縦断面図である。
【図３】図１の釣竿の一部拡大図を伴う要部平面図である。
【図４】図１の釣竿の釣糸ガイドの脚部の強化繊維の露出方向を示す拡大平面図である。
【発明を実施するための形態】
【００１３】
以下、図面を参照しながら、本発明に係る釣竿の実施形態について説明する。
図１は、釣糸ガイド１を竿杆４０に取り付けて成る本発明の一実施形態に係る釣竿５０の一部拡大図を伴う要部横断面図である。図示のように、釣糸ガイド１は、強化繊維に合成樹脂を含浸した繊維強化プリプレグ（以下、プリプレグと称する）を前後方向（または、後述する脚部では結果的に上下方向となる）に積層して成る複数の繊維強化樹脂層の積層体によって形成されたフレーム３を備えている。
【００１４】
フレーム３は、竿管４０の外表面に取り付けられる固定部５と、釣糸が挿通される釣糸挿通孔１３（図２参照）を有するガイドリング６が取り付けられるリング保持部７と、リング保持部７と固定部５との間を連結する支脚部８とを具備しており、リング保持部７の軸線Ｏ方向（前後方向）における厚みよりも左右方向の幅が大きい板状に形成されている。ただし、フレーム３の前後方向の厚みと左右方向の幅は同じに形成されていても良いし、前後方向の厚みの方が大きく形成されていても良い。
【００１５】
また、本実施形態において、リング保持部７は、ガイドリング６を保持するための開口（貫通孔）７ａを支脚部８のフレーム部位に設けることによって形成される。また、固定部５は、フレーム３の下端において、竿杆４０の表面に固定される部位（足部とも称される）であり、本実施形態では、釣糸ガイド１の前後方向に延びる板状（突片状）の脚部として形成される。そして、この脚部としての固定部５は、釣糸ガイド１を竿杆４０に取り付けた時には、釣竿５０の軸長方向（軸線Ｏの方向）に延び、その裏側の当接面１９が竿杆４０の表面に載置された状態で、例えば糸状体３２を巻き付けた後にその外側に接着剤３４を塗布する（糸状体３２を固定部５の上面５ａを覆うように竿杆４０の周囲に巻回して接着剤３４を塗布する）ことによって固定領域３０にわたって固定される。なお、固定部５は、１本足や２本足など、様々な形状をとることができる。また、糸状体３２は、マルチフィラメントが用いられ（モノフィラメントでもよい）、例えばナイロン等の合成樹脂繊維や木綿等の天然繊維から成る。また、接着剤３４は、例えばエポキシ系、アクリル系、ウレタン系等の合成樹脂接着剤であり、糸状体３２にも含浸される。
【００１６】
リング保持部７は、竿杆４０の表面から離間した状態で釣糸を案内させるべく、ガイドリング６を止着させる部位である。リング保持部７には、ガイドリング６を嵌入、固定させるための前述した開口７ａ（図２参照）が形成されており、全体として略円形の外形状を備えている。なお、開口７ａに嵌入されるガイドリング６は、リング状に構成され、その内周面である釣糸案内面６ａ部分での摺動抵抗が小さい部材、例えば、チタン、ＳＵＳ、セラミックス等によって形成されている。このガイドリング６は、フレーム３が前記プリプレグによって一体形成された後、リング保持部７に形成された開口７ａに対して嵌入、固定される。
【００１７】
また、支脚部８は、ガイドリング６を竿杆４０の表面から離間させるように、固定部５とリング保持部７とを連結する部位である。この支脚部８は、釣糸ガイド１を正面（釣竿の軸長方向）から見た際の鉛直方向Ｘ（図２参照）に沿うように形成しても良いし、鉛直方向Ｘに対して傾斜するように形成しても良い。
【００１８】
フレーム３には、少なくとも１つ以上の屈曲部が形成されている。本実施形態では、固定部５と支脚部８との間の境界部分に第１屈曲部（固定部５の端部から支脚部に向けて立ち上がる屈曲部）１０ａが形成されており、さらに、支脚部８のリング保持部７側に、第１屈曲部１０ａよりも緩やかに屈曲した第２屈曲部１０ｂが形成されている。フレーム３にこのような屈曲部１０ａ，１０ｂを形成する場合、特に、支脚部８に第２屈曲部１０ｂを形成しておくことで、フレーム全体として、屈曲させることによる曲げ角度を段階的に設定することが可能となり、応力集中を分散させて強度を向上することが可能となる。
【００１９】
ところで、本実施形態の釣糸ガイド１のフレーム３は、予め上記したような構成の屈曲部を形成した状態のプリプレグ（加熱成形後は板状体となっている）から、プレス加工等によって形成されるが、この際、所定の外形を有するように形成される。本実施形態では、図１に示すように、固定部５の端部から第１屈曲部１０ａを介して立ち上がる支脚部８は、上方に移行するに従って次第に幅広となっており、ガイドリング６が取着される開口７ａが形成された略円形のリング保持部７に一体的に連結される。なお、支脚部８には、軽量化を図るために、開口（肉抜き）８ａ（図２参照）を形成しておいても良い。
【００２０】
具体的には、フレーム３は、前述したように強化繊維に合成樹脂を含浸したプリプレグを、前後方向（図１の軸線Ｏ方向；固定部５では必然的に上下方向となる）に、順に複数枚積層することで形成される。この場合、プリプレグは、例えば、炭素繊維、ガラス繊維、ケプラーなどの強化繊維が所定の方向に引き揃えられた状態、或いは編成されたシート状に構成されており、熱硬化性樹脂（例えば、エポキシ樹脂、フェノール樹脂）や熱可塑性樹脂（例えば、ナイロン）をマトリックス樹脂として含浸した構成となっている。なお、フレーム３は、複数の繊維強化樹脂層によって構成されるが、上記した屈曲部が補強されるよう、補強層を含んでいても良い。また、重ね合わせるプリプレグの枚数（層数）や、個々のプリプレグの構成については特に限定されることはないが、上記したように、フレーム３に屈曲部１０ａ，１０ｂを形成すること、使用時においてフレーム３には負荷が加わること、装着される釣竿の特性や装着部分等を考慮し、プリプレグの種類や重ねる条件が任意に調整される。
【００２１】
更に具体的に説明すると、本実施形態のフレーム３は、少なくとも固定部５の部位が、好ましくはその全体が、図３に示されるような積層構造を成している（後述するように固定部５は傾斜面を有するため、図３では、上下に積層される各層が表面に露出した状態となっている）。すなわち、フレーム３（固定部５）は、釣竿の軸長方向に沿って強化繊維を引き揃えた軸長方向繊維樹脂層２１と、釣竿の軸長方向に対して所定の角度を有する交差方向に強化繊維を引き揃えた斜向繊維樹脂層２２ａ，２２ｂと、強化繊維を編成した織布層２３とを有している。特に本実施形態では、フレーム３（固定部５）は、その上面（前面）から下面（後面）へ向かって順に、織布層２３、軸長方向繊維樹脂層２１、軸長方向に対して所定の角度（傾斜角度は任意であるが＋１５〜＋７５度が好ましく、より好ましくは＋３０〜＋６０度）に強化繊維を引き揃えた第１の斜向繊維樹脂層２２ａ、斜向繊維樹脂層２２ａと逆向き（傾斜角度は任意であるが−１５〜−７５度が好ましく、より好ましくは−３０〜−６０度）の第２の斜向繊維樹脂層２２ａ、更にもう１つの第２の斜向繊維樹脂層２２ａ、更にもう１つの第１の斜向繊維樹脂層２２ａ、更にもう１つの織布層２３によって８層構造を成している。
【００２２】
このように、繊維強化樹脂製の釣糸ガイドを形成するに際しては、フレーム自体を正面視または平面視した際、少なくとも三方向に強化繊維が指向した状態となるようなプリプレグを選択し、積層することが好ましい。すなわち、強化繊維の指向方向を三方向以上とすることで、効率良く、軽量で強度的に優れた釣糸ガイドを形成することが可能となる。
【００２３】
また、上記したプリプレグの配置構成のように、フレーム３の最外層に織布層２３を配設することは有益である。これは、フレーム３の表面は、他物が当たり易く、剥離などし易い部分であること、及び、実釣時において、釣糸の張力によってフレームが撓む等、フレーム端部から強化繊維が剥離したり、破損する可能性があることから、この表面領域に強化繊維が編成された織布層を配設しておくことで、強化繊維の裂けや剥離が効果的に防止でき、強度の向上、及び安定化が図れるようになる。
【００２４】
このような織布層２３を配設することで、より確実に強化繊維が剥離、破損することを防止でき、強度の向上、及び安定化が図れるようになる。また、屈曲部１０ａ，１０ｂについても相対的に強化することができ、軽量で強度バランスに優れた釣糸ガイドとすることが可能となる。もちろん、上記した織布層２３の網目の幅については、固定部５やリング保持部７の領域においても、同様にそれらの部分での最小幅よりも小さくすることが好ましい。
【００２５】
また、本実施形態では、以上のような積層構造において、釣糸ガイド１の脚部としての固定部５の上面（表面）５ａで強化繊維が露出しており、また、上面５ａの先端部および左右側部にそれぞれ傾斜面１５，１６，１６を形成することにより、固定部５を構成する繊維強化樹脂層の各層２３，２１，２２ａ，２２ｂ，２２ｂ，２２ａ，２１，２３の全てが上面（表面）５ａで露出されている。しかも、各層２３，２１，２２ａ，２２ｂ，２２ｂ，２２ａ，２１，２３の強化繊維の方向が前述したように異なっているため、傾斜面１５，１６，１６で露出する強化繊維が複数の方向に延在した状態となっている。
【００２６】
具体的には、釣糸ガイド１の固定部５の上面５ａの先端部には、先端へ向かって下向きに傾斜する先端側傾斜面１５が設けられている。また、釣糸ガイド１の固定部５の上面５ａは、その左右のそれぞれの側縁へ向かって下向きに傾斜する側方傾斜面１６，１６を有している。そして、これらの先端側傾斜面１５と側方傾斜面１６，１６は連続して形成され（先端側傾斜面１５が固定部５の左右側面側へと連続している）、また、各傾斜面１５，１６，１６は前方に向かって（支脚部８と反対の方向に向かって）徐々に幅が広くなっている。この先端側傾斜面１５と側方傾斜面１６，１６は、フレーム成形時に形成しても良いし、研磨によって形成しても良い。
【００２７】
固定部５の上面（表面）５ａにおける強化繊維の露出は、固定部５の表面（底面、上面、側面）を研磨して粗面化することにより達成される。この粗面化により、固定部５を構成する繊維強化樹脂の強化繊維の端部２０が上面（表面）５ａで露出（突出を含む）する。特に最上面では、織布層２３の表面が荒らされて切断された繊維の端部２０や連続する繊維の側面が露出する。また、上面５ａに現れる全ての他の層においても強化繊維の端部２０が露出している。そして、これらの露出する強化繊維が前述した固定時に接着剤３４および糸状体３２と接触し、接着剤３４で接着されて保持されたり、糸状体３２に係止される。
【００２８】
図４には、先端側傾斜面１５および側方傾斜面１６，１６で露出（突出を含む）する強化繊維の露出方向（突出方向）が矢印で示されている。図示のように、先端側傾斜面１５で露出する強化繊維が複数の方向に向かって延びており、また、側方傾斜面１６，１６で露出する強化繊維も複数の方向に向かって延びている。また、本実施形態では、前述した積層構造において固定部５の左右両側に傾斜面１６，１６を設けているため、必然的に、図示のように傾斜面１６，１６で露出する強化繊維の露出方向（外側突出方向）が左右で互いに逆向きになっている（同じ層内において中心線Ｏ１の左右で露出方向が反対になっている）。
【００２９】
以上説明したように、本実施形態の釣竿５０によれば、竿杆４０に取り付けられる釣糸ガイド１の固定部（脚部）５の上面５ａで露出する強化繊維が接着剤３４で覆われる（接着剤３４と接触する）ため、釣糸ガイド１の固定部５を構成する強化繊維の側面や切断された繊維突出端２０等が接着剤３４と構造的に強固に結合される。したがって、釣糸ガイド１の固定部５を竿杆４０に強固に取り付け固定することができ、固定部５の緩みを効果的に防止できる。また、釣糸ガイド１の固定部５の上面５ａで露出する強化繊維が固定部上面を覆って巻回される糸状体３２と接触する本実施形態では、露出する繊維突出端２０が糸状体３２に当接係合した状態で接着されるため、糸状体３２による保持作用により、竿杆４０に対する釣糸ガイド脚部の取り付け固定が更に強固となる。
【００３０】
また、本実施形態では、釣糸ガイド１の固定部５の上面５ａの先端部に、先端へ向かって下向きに傾斜する先端側傾斜面１５が設けられ、該先端側傾斜面１５で露出する強化繊維が複数の方向に向かって延びており、また、釣糸ガイド１の固定部５の上面５ａが、その左右のそれぞれの側縁へ向かって下向きに傾斜する側方傾斜面１６，１６を有し、該側方傾斜面１６，１６で露出する強化繊維が複数の方向に向かって延びている。このように、釣糸ガイド１の固定部５の上面５ａに傾斜面１５，１６，１６を設けると、固定部５を構成する繊維強化樹脂層の各層２３，２１，２２ａ，２２ｂ，２２ｂ，２２ａ，２１，２３の全てを上面５ａに露出させることができるため、本実施形態のように各層の強化繊維の方向を異ならせることにより、傾斜面１５，１６，１６で露出する強化繊維を複数の方向に延在させて様々な方向から接着剤３４や糸状体３２を強化繊維と係合させることができ、接着剤３４の剥離や糸状体３２の緩みを効果的に防止できる。また、そのような傾斜面１５，１６，１６を固定部５の上面５ａの左右に設けていることから、必然的に、傾斜面１５，１６，１６で露出する強化繊維の露出方向（外側突出方向）が左右で互いに逆向きになり、したがって、固定部５の前後の動きを繊維によって両側から支持できるようになる。そのため、固定部５の前後の移動を確実に阻止することが可能になる。
【符号の説明】
【００３１】
１  釣糸ガイド
３  フレーム
５  固定部（脚部）
１５  先端側傾斜面
１６  側方傾斜面
３２  糸状体
３４  接着剤
４０  竿杆
５０  釣竿
【図１】
0005339539.tif 000002
【図２】
0005339539.tif 000003
【図３】
0005339539.tif 000004
【図４】
0005339539.tif 000005